(57)【要約】【課題】スポットライトにおいて、組み立てを容易とする。【解決手段】スポットライトは、光源を点灯させる安定器が収容される筐体と、この筐体から吊り下げられるアーム４と、アーム４に取り付けられ、光源が装着されるソケット５とを備える。アーム４は、ソケット５から導出されるリード線５１を収容する枠部材４Ａと、枠部材４Ａの開口を塞ぐカバー４Ｂとが組み合わされて成る中空筒状体である。このアーム４は軸部４３を有する。枠部材４Ａとカバー４Ｂとは、組み合わされた状態で、軸部４３が筐体の孔に挿入され、軸部４３の外周がその孔により保持されることで接合される。従って、組み立て時には、枠部材４Ａの中にリード線５１を収容して枠部材４Ａの開口をカバー４Ｂで塞ぎ、枠部材４Ａとカバー４Ｂとを組み合わせた状態で軸部４３を筐体の孔に挿入するだけで、リード線５１を配線することができ、組み立てが容易となる。【選択図】図４
2008293903.tif 000002
【特許請求の範囲】
【請求項１】
光源を点灯させる安定器が収容される筐体と、
前記筐体から吊り下げられるアームと、
前記アームに取り付けられ、光源が装着されるソケットと、を備えたスポットライトにおいて、
前記アームは、前記ソケットから導出されるリード線を収容する枠部材と、前記枠部材の開口を塞ぐカバーとが組み合わされて成る中空筒状体であり、
前記枠部材とカバーとは、組み合わされた状態の少なくとも一方の端部が前記筐体に設けられた孔に挿入され、該端部外周が該孔により保持されることで接合されることを特徴とするスポットライト。
【請求項２】
前記枠部材とカバーとは、組み合わされた状態の他方の端部に、前記ソケットを取り付けるためのソケット取付部を有し、該ソケット取付部内に収容される接合部材により接合されることを特徴とする請求項１に記載のスポットライト。
【発明の詳細な説明】
【技術分野】
【０００１】
本発明は、天井面等に設置されるスポットライトに関する。
【背景技術】
【０００２】
従来から、光源を点灯させるインバータ安定器が収容される筐体と、この筐体に固着されて筐体から吊り下げられるアームと、光源を含み、上記のアームに取り付けられる灯体とを備えたスポットライトが知られている（例えば、特許文献１参照）。このスポットライトにおいて、アームはパイプ状に形成されており、その中には、インバータ安定器と光源とを電気的に接続するリード線が挿通されている。
【０００３】
しかしながら、特許文献１に記載の技術では、製品組み立て時に、リード線をアーム内に挿通するため、アームの開口にリード線の先端部を挿し込む必要があり、その作業に手間がかかる。また、リード線挿通時に、リード線の先端部がアーム内部の側壁に引っかかることがあり、リード線を滑らかに挿通することが難しく、このため、組み立てに手間がかかることがある。
【特許文献１】特開平０７−２１１１２８号公報
【発明の開示】
【発明が解決しようとする課題】
【０００４】
本発明は、上記の従来の問題を解決するためになされたものであり、組み立て容易なスポットライトを提供することを目的とする。
【課題を解決するための手段】
【０００５】
上記目的を達成するために請求項１の発明は、光源を点灯させる安定器が収容される筐体と、前記筐体から吊り下げられるアームと、前記アームに取り付けられ、光源が装着されるソケットと、を備えたスポットライトにおいて、前記アームは、前記ソケットから導出されるリード線を収容する枠部材と、前記枠部材の開口を塞ぐカバーとが組み合わされて成る中空筒状体であり、前記枠部材とカバーとは、組み合わされた状態の少なくとも一方の端部が前記筐体に設けられた孔に挿入され、該端部外周が該孔により保持されることで接合されるものである。
【０００６】
請求項２の発明は、請求項１に記載のスポットライトにおいて、前記枠部材とカバーとは、組み合わされた状態の他方の端部に、前記ソケットを取り付けるためのソケット取付部を有し、該ソケット取付部内に収容される接合部材により接合されるものである。
【発明の効果】
【０００７】
請求項１の発明によれば、組み立て時には、枠部材の中にリード線を収容して枠部材の開口をカバーで塞ぎ、枠部材とカバーとを組み合わせた状態で端部を筐体の孔に挿入するだけで、リード線を配線することができる。このため、リード線の配線作業が簡単になり、組み立てが容易となる。
【０００８】
請求項２の発明によれば、接合部材はソケット取付部内に収容されるため、接合部材が露出しないので、外観を良好にすることができる。
【発明を実施するための最良の形態】
【０００９】
以下、本発明の一実施形態に係るスポットライトについて図面を参照して説明する。図１乃至図３（ａ）（ｂ）は、本実施形態に係るスポットライト１の構成を示す。このスポットライト１は、例えば天井面等に設置されて吊り下げ固定され、商業空間の商品演出や建築空間の空間演出等のため照明光を対象物に照射する照明装置である。スポットライト１は、光源を点灯させる安定器２が収容される筐体３と、この筐体３から吊り下げられるアーム４と、このアーム４の下端部に取り付けられ、光源が装着されるソケット５と、このソケット５に装着され、安定器２により点灯駆動される光源６と、光源６から出射される光を反射する反射鏡７と、アーム４の下端部に回動自在に支持され、反射鏡７が固定されるセード８と、を備える。
【００１０】
安定器２は、例えばインバータ式の安定器から成る。筐体３は、上面が開口した筐体本体３１と、その開口を塞ぐカバー３２とにより構成される。筐体本体３１は、安定器２と、安定器２に給電するプラグ９とを収容する。プラグ９は、不図示の配線ダクトとの接続を可能にするため一部が露出するようにカバー３２に固定されている。筐体本体３１の底部の略中央には、アーム４の端部が嵌挿される孔（不図示）が形成されている。
【００１１】
アーム４は、中空筒状体であり、水平部４１と、水平部４１の一端からこの水平部４１と略９０度の角度を持って下方に延びる垂直部４２とにより構成されている。水平部４１の他端には、上方に延びる略円筒状の軸部４３が設けられている。この軸部４３は筐体本体３１の底部の孔に挿し込まれ、アーム４の水平回動が可能となるように固定される。
【００１２】
垂直部４２の下端には、ソケット５を取り付けるためのソケット取付部４４が形成されている。このソケット取付部４４は、略円筒状の形状を有し、軸部４３側で、水平部４１と略平行な方向に突出している。ソケット取付部４４の先端部では、外周の一部が切欠されており、段差部４４ａが形成されている。ソケット取付部４４は、ソケット５取付時にソケット５を内包する。ソケット５には、光源６の口金が固定される。ソケット５から導出されるリード線（不図示）は、このアーム４内に収容され、筐体３内の安定器２に導かれる。アーム４により導かれたソケット５のリード線は、筐体本体３１内で安定器２と接続される。
【００１３】
光源６は、例えば、セラミックメタルハライドランプにより構成される。このセラミックメタルハライドランプは背高で、外形が略円柱状であり、その口金は例えばスクリュータイプである。この光源６は、その長手方向が水平方向と略平行になるように配設されている。光源６の長手方向と、ソケット取付部４４の突出方向とは略平行である。また、光源６の長手方向の中心軸と、ソケット取付部４４の中心軸とは略一致している。光源６の構成及び形状は上記に限定されない。
【００１４】
反射鏡７は、略円錐台状又は椀状であり、その径は光源６のバルブ部分の長さより大きい。この反射鏡７には、前面と背面とに開口７１、７２が設けられている。この前面の開口７１は光出射用の開口であり、背面の開口７２より径が大きい。背面の開口７２は放熱用の開口である。光源６は、この反射鏡７の前方に、また、光源６の長手方向の中心軸が反射鏡７の開口７１の開口面と略平行になるように配置されている。さらに、光源６は、中心が反射鏡７の焦点位置と重なるように配設されている。
【００１５】
セード８は、前面が開口した桶状で且つ正面視略円形状のセード本体８１と、このセード本体８１の前面開口に対応した大きさを有する略環状の前面枠８２とにより構成される。セード本体８１の大きさは、反射鏡７の大きさに対応しており、セード本体８１の径は、光源６のバルブ部分の長さより大きい。セード本体８１の背面には、放熱用の開口８１ａが設けられており、この開口８１ａの位置は、反射鏡７の放熱用の開口７２と対応している。前面枠８２は、セード本体８１の前面開口への嵌め込み及び回転によりセード本体８１への取り付けが可能に構成されている。反射鏡７は、セード本体８１の前面開口から嵌め込まれ、固定用バネ１０によりセード本体８１内部に押し当てられて固定される。このようにしてセード本体８１は反射鏡７を内包する。セード本体８１の前面開口には、反射鏡７がセード本体８１に内包された状態で、前面枠８２が取り付けられる。
【００１６】
セード本体８１の側部には、略円筒状の軸受部８１ｂが貫通して形成されている。この軸受部８１ｂには、アーム４のソケット取付部４４が嵌挿される。ソケット取付部４４の中心軸は、光源６の長手方向の中心軸と略一致しているので、セード８は、ソケット取付部４４が軸受部８１ｂに嵌挿された状態で、ソケット取付部４４を軸とし、光源６の長手方向の中心軸を中心に回動自在となる。従って、ソケット５に光源６が装着された状態で、ソケット取付部４４が軸受部８１ｂに嵌挿されたとき、光源６を動かすことなく、セード８を回動させるだけで、光照射方向を上下方向すなわち仰角方向に変更することが可能となる。
【００１７】
軸受部８１ｂの内側には、セード８の回動範囲を規制するための突起状の回動ストッパ８１ｃが形成されている。この回動ストッパ８１ｃが、ソケット取付部４４の回動時にその段差部４４ａと当接することにより、セード８の回動範囲が規制される。また、軸受部８１ｂには、ソケット取付部４４の外周形状に対応して成形された円弧状の板ばね部材８３が配設されている。この板ばね部材８３は、セード本体８１の前面開口側に設けられており、軸受部８１ｂに挿入されたソケット取付部４４をセード本体８１の背面側に押圧する。このため、ソケット取付部４４の抜け落ち防止及び軸力の確保を図ることができる。
【００１８】
上記構成においては、セード８が、アーム４のソケット取付部４４を軸として垂直方向に回動したとき、セード８の前面開口の向きが変化する。また、セード８に固定された反射鏡７の開口７１の向きが変わる。このとき、アーム４、ソケット５及び光源６は動かない。反射鏡７の開口７１の向きが変化することにより、光の反射方向が変化する。従って、光照射方向が上方向又は下方向に変更される。このように、ソケット５及び光源６を動かすことなく、セード８を回動させるだけで、光の照射方向を上下方向に変更することができる。また、光照射の向きを上下方向に変化させる際、アーム４及びソケット５は動かないので、ソケット５から導出されてアーム４に収容されるリード線の形状の変化を防ぐことができる。従って、リード線の断線防止を図ることができる。
【００１９】
図４（ａ）（ｂ）及び図５は、アーム４部分の詳細な構成を示す。アーム４は、ソケット５から導出されるリード線５１を収容する枠部材４Ａと、枠部材４Ａの開口を塞ぐカバー４Ｂとが組み合わされて成る中空筒状体である。枠部材４Ａ及びカバー４Ｂは、組み合わされた状態で、水平部４１、垂直部４２、軸部４３及びソケット取付部４４を構成する。枠部材４Ａは、水平部４１を構成する部分において、上部が開口しており、縦断面が略コの字状であり、垂直部４２を構成する部分においては、側部が開口しており、横断面が略コの字状である。また、枠部材４Ａは、軸部４３を構成する部分において、その側部が開口しており、ソケット取付部４４を構成する部分において、ソケット５の外周側方を取り囲むように略円筒状に形成されており、その両端部が開口している。水平部４１、垂直部４２、軸部４３及びソケット取付部４４のソケット基端側の開口は一続きである。カバー４Ｂは、この開口を塞ぐように形成されている。
【００２０】
枠部材４Ａには、ソケット取付部４４を構成する部分の内側に突出片４４ｂが形成されている。この突出片４４ｂには、ソケット５を枠部材４Ａに固定するためのねじ５２が螺入される孔４４ｃと、枠部材４Ａとカバー４Ｂとを互いに固定するためのねじ４５（接合部材）が貫通する孔４４ｄとが設けられている。
【００２１】
ソケット５の側方には、突出片５３が形成されており、この突出片５３には孔５３ａが設けられている。ねじ５２は、この孔５３ａを貫通し、枠部材４Ａの突出片４４ｂの孔４４ｃに螺入される。このように、ソケット５は、ねじ５２により枠部材４Ａに固定される。このとき、ねじ５２はソケット取付部４４内に収容されている。このため、ねじ５２が露出しないので、外観を良好にすることができる。
【００２２】
カバー４Ｂには、ソケット取付部４４の内側に向けて突出した略円筒状のねじ受け部４６が、孔４４ｃに対応して設けられている。ねじ４５は、突出片４４ｂの突出片４４ｂの孔４４ｄを貫通し、カバー４Ｂのねじ受け部４６に螺入される。このように、枠部材４Ａ及びカバー４Ｂは、ねじ４５により接合される。このとき、ねじ４５は、ソケット取付部４４内に収容されている。このため、ねじ４５が露出しないので、外観を良好にすることができる。
【００２３】
図６（ａ）（ｂ）及び図７（ａ）乃至（ｃ）は、スポットライト１におけるアーム４の水平回動構造を示す。筐体本体３１の底部の略中央には、略円筒状又は略環状の軸受部３１ａが設けられており、軸受部３１ａの孔３１ｂは筐体本体３１を貫通している。この孔３１ｂの径は、アーム４の軸部４３の外径より僅かに大きい。アーム４を構成する枠部材４Ａとカバー４Ｂとは、組み合わされた状態で、軸部４３が筐体本体３１の孔３１ｂに下方から嵌挿される。これらの枠部材４Ａとカバー４Ｂとは、軸部４３の外周が孔３１ｂにより保持されることで接合される。この保持具合は、軸部４３の回動が可能な程度である。
【００２４】
軸部４３の先端部は、その外径が一部を残してその下部より小さくなっている。この残された部分は、同じ外周上の他の部分よりも突出しており、突出部４３ａを形成している。軸部４３は、筐体本体３１の軸受部３１ａに嵌挿され、軸部４３の先端部は、筐体本体３１内部に突き抜ける。筐体本体３１内部に突き抜けた軸部４３の先端部には、略環状の回動止め金具４７が嵌着される。さらに、軸部４３の最先端部には、ナット等（不図示）が取り付けられる。筐体本体３１内側で、回動止め金具４７が孔３１ｂの周縁部につかえ、上記のナット等がこの回動止め金具４７につかえるので、アーム４が筐体本体３１から脱落するのを防止することができる。
【００２５】
回動止め金具４７の内周部には、内側に向けて突出した突起部４７ａが形成されている。この突起部４７ａの個数は例えば１個である。回動止め金具４７の外周部には、外側に向けて突出した突起部４７ｂが形成されている。この突起部４７ｂの個数は例えば２個である。２個の突起部４７ｂは、互いに略１８０度の角度をもって配設されている。筐体本体３１の底部内側には、平面視略円弧状のストッパ３１ｃが凸設されている。その個数は例えば２個である。ストッパ３１ｃは、回動止め金具４７の外周に沿うように成形されている。
【００２６】
軸部４３の水平回動時には、回動止め金具４７内側の突起部４７ａが、軸部４３先端部の突出部４３ａと当接することにより、軸部４３の回動範囲を規制する。この規制により、例えば、軸部４３の回動可能な角度が、略３００度とされる。軸部４３の突出部４３ａが回動止め金具４７の突起部４７ａと当接した後、回動止め金具４７は、軸部４３の回動に伴って供回りする。回転止め金具４７の供回り時に、筐体本体３１内部のストッパ３１ｃは、回転止め金具４７外側の突起部４７ｂと当接することにより、回転止め金具４７の回動範囲を規制する。この規制により、例えば、回転止め金具４７の回動可能な角度は、略６５度とされる。従って、軸部４３の水平回動可能な範囲は、合計で略３６０度となるので、スポットライト１周囲のいずれの方向にも光を照射することが可能となる。
【００２７】
上記構成においては、スポットライト１の組み立て時に、枠部材４Ａの中にリード線５１を収容して枠部材４Ａの開口をカバー４Ｂで塞ぎ、枠部材４Ａとカバー４Ｂとを組み合わせた状態で軸部４３を筐体本体３１の孔３１ｂに挿入するだけで、リード線５１を配線することができる。このため、従来のスポットライトようにアーム内にリード線を通す場合と比べ、リード線の配線作業が簡単になり、容易に組み立てることができる。
【００２８】
なお、本発明は、上記の実施形態の構成に限定されるものでなく、使用目的に応じ、様々な変形が可能である。例えば、スポットライト１は、天井面に限定されず、壁面又は床面等に設置可能に構成されていてもよい。
【図面の簡単な説明】
【００２９】
【図１】本発明の一実施形態に係るスポットライトの斜視図。
【図２】上記スポットライトの分解斜視図。
【図３】（ａ）は上記スポットライトにおいてセードをアームから取り外したときの斜視図、（ｂ）は同アーム部分の斜視図。
【図４】（ａ）は上記アーム部分の分解斜視図、（ｂ）は同アーム部分の（ａ）とは別の方向からの分解斜視図。
【図５】上記アームを構成する枠部材の斜視図。
【図６】（ａ）は上記スポットライトにおいてアームを筐体から取り外したときの斜め下方からの斜視図、（ｂ）は同スポットライトの（ａ）とは別の方向からの斜視図。
【図７】（ａ）は上記スポットライトの正面図、（ｂ）は（ａ）のＡ−Ａ’線断面図、（ｃ）は（ｂ）の破線枠Ｂ部分の拡大図。
【符号の説明】
【００３０】
１  スポットライト
２  安定器
３  筐体
３１ｂ  孔
４  アーム
４Ａ  枠部材
４Ｂ  カバー
４４  ソケット取付部
４５  ねじ（接合部材）
５  ソケット
５１  リード線
６  光源
７  反射鏡
８  セード
【図１】
2008293903.tif 000003
【図２】
2008293903.tif 000004
【図３】
2008293903.tif 000005
【図４】
2008293903.tif 000006
【図５】
2008293903.tif 000007
【図６】
2008293903.tif 000008
【図７】
2008293903.tif 000009